(57)【特許請求の範囲】
【請求項１】
ネットワーク識別を容易にするための方法（２００）であって、第一ネットワークのアクセスノードで、
−  一つ以上の隣接アクセスノードのそれぞれについての物理レイヤー関連識別情報を検出すること（Ｓ２１０）と、
−  前記一つ以上の隣接アクセスノードのそれぞれについて、前記隣接アクセスノードの前記検出された物理レイヤー関連識別情報に基づき、当該隣接アクセスノードのネットワーク識別情報をデコードすること（Ｓ２２０）と、
−  前記一つ以上の隣接アクセスノードのそれぞれについて、
−  当該隣接アクセスノードの前記デコードされたネットワーク識別情報に基づき、当該隣接アクセスノードが前記第一ネットワークに属しているのか、または、異なるネットワークに属しているのかを判定すること（Ｓ２３０）と、
−  前記隣接アクセスノードが異なるネットワークに属していると判定されると、当該隣接アクセスノードの前記検出された物理レイヤー関連識別情報が含まれている識別情報グループを決定すること（Ｓ２３０）と、
−  前記異なるネットワークに属している前記隣接アクセスノードの物理レイヤー関連識別情報が含まれているいずれの識別情報グループとも異なる識別情報グループから、当該アクセスノードの物理レイヤー関連識別情報として、物理レイヤー関連識別情報を選択すること（Ｓ２４０）と、
−  前記第一ネットワークに関連付けられている一つ以上の識別情報グループを示す情報を、ユーザ装置（ＵＥ）に送信することと、
を有する方法。
【請求項２】
請求項１に記載の方法（２００）であって、前記アクセスノードの前記物理レイヤー関連識別情報は、前記第一ネットワークに属している隣接アクセスノードの物理レイヤー関連識別情報が含まれている識別情報グループから、選択される、方法。
【請求項３】
請求項１または２に記載の方法（２００）であって、
−  前記一つ以上の識別情報グループにおける各識別情報グループは、前記第一ネットワークにおける、前記アクセスノードの前記物理レイヤー関連識別情報、および／または、少なくとも一つの隣接アクセスノードの物理レイヤー関連識別情報を含む、方法。
【請求項４】
請求項１ないし３のいずれか一項に記載の方法（２００）であって、各アクセスノードについて、そのアクセスノードによって使用される同期信号シーケンスにその物理レイヤー関連識別情報が少なくとも関連付けられている、方法。
【請求項５】
第一ネットワークのアクセスノード（４００）であって、
−  一つ以上の隣接アクセスノードのそれぞれについての物理レイヤー関連識別情報を検出するように構成された検出ユニット（４１０）と、
−  前記一つ以上の隣接アクセスノードのそれぞれについて、前記隣接アクセスノードの前記検出された物理レイヤー関連識別情報に基づき、当該隣接アクセスノードのネットワーク識別情報をデコードするように構成されたデコードユニット（４２０）と、
−  前記一つ以上の隣接アクセスノードのそれぞれについて、
−  当該隣接アクセスノードの前記デコードされたネットワーク識別情報に基づき、当該隣接アクセスノードが前記第一ネットワークに属しているのか、または、異なるネットワークに属しているのかを判定し、
−  前記隣接アクセスノードが異なるネットワークに属していると判定されると、当該隣接アクセスノードの前記検出された物理レイヤー関連識別情報が含まれている識別情報グループを決定する、ように構成された決定ユニット（４３０）と、
−  前記異なるネットワークに属している前記隣接アクセスノードの物理レイヤー関連識別情報が含まれているいずれの識別情報グループとも異なる識別情報グループから、当該アクセスノードの物理レイヤー関連識別情報として、物理レイヤー関連識別情報を選択するように構成された選択ユニット（４４０）と、
−  前記第一ネットワークに関連付けられている一つ以上の識別情報グループを示す情報を、ユーザ装置（ＵＥ）に送信するように構成された送信ユニットと
を有するアクセスノード。
【請求項６】
請求項５に記載のアクセスノード（４００）であって、前記アクセスノードの前記物理レイヤー関連識別情報は、前記第一ネットワークに属している隣接アクセスノードの物理レイヤー関連識別情報が含まれている識別情報グループから、選択される、アクセスノード。
【請求項７】
請求項５または６に記載のアクセスノード（４００）であって、
前記一つ以上の識別情報グループにおける各識別情報グループは、前記第一ネットワークにおける、前記アクセスノードの前記物理レイヤー関連識別情報、および／または、少なくとも一つの隣接アクセスノードの物理レイヤー関連識別情報を含む、アクセスノード。
【請求項８】
請求項５ないし７のいずれか一項に記載のアクセスノード（４００）であって、各アクセスノードについて、そのアクセスノードによって使用される同期信号シーケンスにその物理レイヤー関連識別情報が少なくとも関連付けられている、アクセスノード。
【請求項９】
第一ネットワークの第一アクセスノードによって収容されるユーザ装置（ＵＥ）におけるネットワーク識別のための方法（３００）であって、
−  第二アクセスノードの物理レイヤー関連識別情報を検出すること（Ｓ３１０）と、
−  前記検出された物理レイヤー関連識別情報が属している識別情報グループを決定すること（Ｓ３２０）と、
−  前記決定された識別情報グループに基づいて、前記第二アクセスノードが前記第一ネットワークに属しているかどうかを識別すること（Ｓ３３０）と、
−  前記第二アクセスノードが前記第一ネットワークに属している場合に、前記第二アクセスノードについての測定を実行することと、を有し、
前記第一ネットワークにおける前記第一アクセスノードおよびその隣接アクセスノードは、他の何れのネットワークの何れかの隣接アクセスノードに関連付けられている何れの識別情報グループとも異なる一つ以上の識別情報グループに関連付けられている、方法。
【請求項１０】
請求項９に記載の方法（３００）であって、前記識別すること（Ｓ３３０）は、
−  前記決定された識別情報グループが前記一つ以上の識別情報グループの何れかと一致するかどうかを判定することによって実行される、方法。
【請求項１１】
請求項９に記載の方法（３００）であって、前記第一ネットワークにおける前記第一アクセスノードおよびその隣接アクセスノードは、二つ以上の識別情報グループに関連付けられており、
前記方法（３００）は、さらに、
−  前記第一アクセスノードから、当該二つ以上の識別情報グループを示す情報を受信することを含む、方法。
【請求項１２】
請求項９ないし１１のいずれか一項に記載の方法（３００）であって、各アクセスノードについて、そのアクセスノードによって使用される同期信号シーケンスにその物理レイヤー関連識別情報が少なくとも関連付けられている、方法。
【請求項１３】
請求項９ないし１２のいずれか一項に記載の方法（３００）であって、前記識別すること（Ｓ３３０）は、前記第二アクセスノードについての前記ＵＥによる測定を容易にする、方法。
【請求項１４】
第一ネットワークの第一アクセスノードによって収容されるユーザ装置（ＵＥ）（６００）であって、
−  第二アクセスノードの物理レイヤー関連識別情報を検出するように構成された検出ユニット（６１０）と、
−  前記検出された物理レイヤー関連識別情報が含まれている識別情報グループを決定するように構成された決定ユニット（６２０）と、
−  前記決定された識別情報グループに基づいて、前記第二アクセスノードが前記第一ネットワークに属しているかどうかを識別するように構成された識別ユニット（６３０）と、
前記第二アクセスノードが前記第一ネットワークに属している場合に、前記第二アクセスノードについての測定を実行する測定ユニットと、を有し、
前記第一ネットワークにおける前記第一アクセスノードおよびその隣接アクセスノードは、他の何れのネットワークの何れかの隣接アクセスノードに関連付けられている何れの識別情報グループとも異なる一つ以上の識別情報グループに関連付けられている、ＵＥ。
【請求項１５】
請求項１４に記載のＵＥ（６００）であって、前記識別ユニット（６３０）は、前記決定された識別情報グループが前記一つ以上の識別情報グループの何れかと一致するかを判定することによって、前記第二アクセスノードが前記第一ネットワークに属しているかどうかを識別するように構成されている、ＵＥ。
【請求項１６】
請求項１４に記載のＵＥ（６００）であって、前記第一ネットワークにおける前記第一アクセスノードおよびその隣接アクセスノードは、二つ以上の識別情報グループに関連付けられており、
前記ＵＥ（６００）は、さらに、
−  前記第一アクセスノードから、当該二つ以上の識別情報グループを示す情報を受信するように構成された受信ユニットを含む、ＵＥ。
【請求項１７】
請求項１４ないし１６のいずれか一項に記載のＵＥ（６００）であって、各アクセスノードについて、そのアクセスノードによって使用される同期信号シーケンスにその物理レイヤー関連識別情報が少なくとも関連付けられている、ＵＥ。
【請求項１８】
請求項１４ないし１７のいずれか一項に記載のＵＥ（６００）であって、前記識別ユニット（６３０）によって前記識別することは、前記第二アクセスノードについての前記ＵＥによる測定を容易にする、ＵＥ。
【発明の詳細な説明】
【技術分野】
【０００１】
本開示は無線通信に関し、とりわけ、ネットワーク識別を容易にする方法、アクセスノード、ネットワーク識別のための方法、および、ユーザ装置（ＵＥ）に関する。
【背景技術】
【０００２】
大きな帯域幅と高いキャパシティカバレッジとを実現するために、ネットワークにおけるアクセスノード（ＡＮ）はネットワークにおいて利用可能なスペクトラムの全体を典型的に共有する。たとえば、ミリ波（ｍｍＷ）ネットワークにおいて、いくつかの「高キャパシティカバレッジアイランド」が配置され、ｍｍＷネットワークにおいて利用可能なスペクトラムの全体はこれら各アイランドによって再利用される。
【０００３】
図１はスペクトラム再利用の例示的なシナリオを示している。ネットワーク１１０とネットワーク１２０といった二つにネットワークが図１に示されている。図１において破線によって示されているように、ネットワーク１１０のカバレッジエリアとネットワーク１２０のカバレッジエリアとが相互に部分的にオーバーラップしている。ネットワーク１１０および１２０は異なるネットワーク事業者に属していてもよいし、同一のスペクトラムを割り当てられていてもよい。ネットワーク１１０は、ＡＮ１１１とＡＮ１１２といった二つのＡＮを含み、ネットワーク１２０は、ＡＮ１２１とＡＮ１２２といった二つのＡＮを含む。図１におけるＡＮ１１１、１１２、１２１および１２２は同一のスペクトラムを共有している。図１はさらにユーザ装置（ＵＥ）１０１、１０２および１０３を示している。ここで、ＵＥ１０１はＡＮ１１１によってサービスを提供され、ＵＥ１０２はＡＮ１１２によってサービスを提供され、ＵＥ１０３はＡＭ１２２によってサービスを提供される。図１から見て取れるように、ＵＥ１０２はオーバーラップしたエリアに位置しており、ここではＵＥ１０２がＡＮ１１１、１１２および１２１の各カバレッジ内に位置しているものと仮定されている。以下では、ＵＥ１０２によって実行される動作が、一般性を失うことなく、一例として記載される。
【０００４】
ＵＥ１０２は、たとえば、隣接ＡＮを探索するため、または、隣接ＡＮに関連した測定を実行するため、隣接ＡＮ（もし存在すれば）に関連した情報を取得する必要がありうる。このような隣接探索または測定は周期的に実行されてもよいし、イベントトリガーにより実行されてもよい。たとえば、ＵＥ１０２は、もし存在するのであればイントラネットワークＡＮ（つまり、サービングネットワーク１１０のＡＮ）からの基準信号受信電力（ＲＳＲＰ）を測定することが必要なことがありうる。その際に、隣接ＡＮによってブロードキャストされたいずれかのビーコンが存在するかどうかを検知するために、最初にビーコンチャネルをリッスンすることが必要となる。
【０００５】
特定のＡＮによってブロードキャストされるビーコンは、同期信号シーケンス（ロングタームエボリューション（ＬＴＥ）システムにおける、プライマリ同期信号（ＰＳＳ）またはセカンダリ同期信号（ＳＳＳ）など）、基準信号（ＲＳ）シーケンス、および、システム情報を含む。システム情報は、ＡＮが属しているネットワークをグローバルかつユニークに識別するネットワーク識別情報（ＮＩ）を含む。このコンテキストにおいて、「ネットワーク」は公衆地上移動体ネットワーク（ＰＬＭＮ）（この場合のＮＩはＰＬＭＮ  ＩＤになろう）であってもよく、異なる「ネットワーク」は典型的には異なるネットワーク事業者によって管理されている。システム情報は、さらに、ＡＮが属しているネットワーク内でローカルでかつユニークにＡＮを識別するＡＮ識別情報（ＡＩ）を含む。ＡＩの一例はＬＴＥにおける進化型ノードＢ（ｅＮＢ）ＩＤである。システム情報は、さらに、ＡＮの物理レイヤー機能に関連付けられた物理ＡＮ識別情報（ＰＡＮＩ）を含む。ＰＡＮＩは、同期信号シーケンスと基準信号シーケンスと（およびこれらの時間および周波数の位置）の組み合わせに対してユニークに関連付けられており、このような関連付けは異なるネットワークにおいても共通である。ＰＡＮＩの一例はＬＴＥにおける物理セルＩＤ（ＰＣＩ）である。
【０００６】
ビーコンチャネル上でＡＮ１２１によってブロードキャストされるビーコンが存在する場合に、ＵＥ１０２は、まず、ブラインドで同期信号シーケンスを検出する。ＵＥ１０２が同期信号シーケンスの検出に成功すると、検出された同期信号シーケンスからＰＡＮＩを把握し、ＰＡＮＩに基づいてビーコン内の基準信号シーケンスを判別する。そして、ＵＥ１０２は、ＲＳＲＰとして基準信号シーケンスの受信電力を測定する。そして、ＵＥ１０２は、判別された基準信号シーケンスに基づいてチャネル推定を導出し、最後に、チャネル推定に基づいてビーコン内のシステム情報を復号（デコード）する。システム情報に含まれているＮＩから、ＵＥ１０２は、ビーコンが、イントラネットワークＡＮではなく、インターネットワークＡＮであるＡＮ１２１（つまり、サービングネットワーク１１０とは異なるネットワークのＡＮ）によってブロードキャストされたものであることを把握する。よって、ＡＮ１２１から測定されたＲＳＲＰは、ＡＮ１１２へ報告されることなく、廃棄される。
【０００７】
同様に、ビーコンチャネル上でＡＮ１１１によってブロードキャストされたビーコンが存在する場合、ＵＥ１０２は、ブラインドで同期信号シーケンスを検出し、基準信号シーケンスを決定し、ＲＳＲＰを測定し、システム情報をデコードすることが必要となる。システム情報に含まれているＮＩから、ＵＥ１０２は、ビーコンが、イントラネットワークＡＮであるＡＮ１１１によってブロードキャストされたものであることを把握する。よって、ＡＮ１１１から測定されたＲＳＲＰは、ＡＮ１１２へ報告される。
【０００８】
つまり、ＵＥは、システム情報のデコードに成功するまで、ＵＥが検出したビーコンがイントラネットワークＡＮから発信されたものなのか、インターネットワークＡＮから発信されたものであるのかを識別することができない。上述されたイントラネットワーク測定によれば、インターネットワークＡＮからのＲＳＲＰもまた測定されるが、これは不要であり、非効率である。これは、測定報告プロセスにいくらかの遅延をもたらし、いくつかの状況では目に余るものである。たとえば、ＬＴＥにおいてＵＥのモビリティをサポートするために、ＵＥは、短周期（たとえば、イントラ周波数・非ＤＲＸ（間欠受信）のシナリオについては２００ｍｓ）で測定報告を送信するようイベントトリガー測定を要求される。ＵＥは、遅延のためにこの要求に応えることに失敗するかもしれない。
【０００９】
さらに悪いことには、ＵＥ１０２はシステム情報のデコードに失敗してしまうケースもある。典型的には、利用可能なＰＡＮＩの数には上限があり（つまり、ＬＴＥでは５０４個のＰＣＩだけ）、よって、同一または異なるネットワークにおける異なるＡＮらが同一のＰＡＮＩを持ってしまうかもしれない。セル計画を用いることで、同一のネットワークにおける隣接ＡＮらはネットワーク事業者によって異なるＰＡＮＩを割り当て可能である。しかし、異なるネットワークからの隣接ＡＮ（たとえば、ＡＮ１１１とＡＮ１２１）は、事業者間の協調の欠如によって、同一のＰＡＮＩを持つことになってしまうかもしれない。この場合、ＵＥ１０２が、ＡＮ１１１から一つとＡＮ１２１から一つといったように、二つのビーコンを同時並行的に受信すると（ここではＡＮ１１１とＡＮ１２１とが同期しており、これらからのビーコンは相互に位置調整されていることが前提となる）、ＡＮ１１１とＡＮ１２１からのビーコンは同一の同期信号シーケンスと同一の基準信号シーケンスとを含むことになる。ＵＥ１０２は異なるＡＮからのビーコンを受信していることを認識することができない。ゆえに、同期信号シーケンスの検出に成功すると、（意味のない）合成されたＲＳＲＰを測定し、ＵＥ１０２とＡＮ１１１との間のチャネルとＵＥ１０２とＡＮ１２１との間のチャネルとの合成されたチャネル推定を導出してしまう。このような合成されたチャネル推定を用いてしまうと、ＵＥ１０２は、どちらのビーコンからもシステム情報をデコードできない。この場合、ＵＥ１０２にとって、イントラネットワーク測定を実行することもインターネットワーク測定を実行することも不可能となる。
【００１０】
したがって、イントラネットワークＡＮとインターネットワークＡＮを識別するための改良されたソリューションの必要性が存在する。
【発明の概要】
【００１１】
本開示の目的は、高速かつより効率的な手法で、イントラネットワークアクセスノードまたはインターネットワークアクセスノードを識別することが可能な、ネットワーク識別を容易にする方法、アクセスノード、ネットワーク識別のための方法、および、ユーザ装置（ＵＥ）を提供することである。
【００１２】
第一の観点によれば、ネットワーク識別を容易にするための方法が提供される。本方法は、第一ネットワークのアクセスノードにおいて、一つ以上の隣接アクセスノードのそれぞれの物理レイヤー関連識別情報を検出することと、一つ以上の隣接アクセスノードのそれぞれについて、検出された隣接アクセスノードの物理レイヤー関連識別情報に基づき、隣接アクセスノードのネットワーク識別情報をデコードすることと、を含む。本方法は、一つ以上の隣接アクセスノードのそれぞれについて、さらに、デコードされた隣接アクセスノードのネットワーク識別情報に基づいて、隣接アクセスノードが第一ネットワークまたは異なるネットワークに属しているかどうかを判定することと、検出された隣接アクセスノードの物理レイヤー関連識別情報が含まれている識別情報グループを決定することを、含む。前記方法は、さらに、異なるネットワークに属している隣接アクセスノードの物理レイヤー関連識別情報が含まれているいずれの識別情報グループとも異なる識別情報グループから、アクセスノードの物理レイヤー関連識別情報として、物理レイヤー関連識別情報を選択することを含む。
【００１３】
実施形態において、アクセスノードの物理レイヤー関連識別情報は、第一ネットワークに属している隣接アクセスノードの物理レイヤー関連識別情報が含まれている識別情報グループから、選択される。
【００１４】
実施形態において、本方法は、さらに、第一ネットワークに関連付けられている一つ以上の識別情報グループを示す情報をユーザ装置（ＵＥ）に送信することを含む。各識別情報グループは、第一ネットワークにおける、アクセスノードの物理レイヤー関連識別情報、および／または、少なくとも一つの隣接アクセスノードの物理レイヤー関連識別情報を含む。
【００１５】
いくつかの実施形態において、各アクセスノードについて、その物理レイヤー関連識別情報が、アクセスノードによって使用される同期信号シーケンスに少なくとも関連付けられている。
【００１６】
第二の観点によれば、第一ネットワークのアクセスノードが提供される。当該アクセスノードは、一つ以上の隣接アクセスノードのそれぞれの物理レイヤー関連識別情報を検出するように構成された検出ユニットと、一つ以上の隣接アクセスノードのそれぞれについて、検出された隣接アクセスノードの物理レイヤー関連識別情報に基づき、隣接アクセスノードのネットワーク識別情報をデコードするように構成されたデコードユニットと、一つ以上の隣接アクセスノードのそれぞれについて、デコードされた隣接アクセスノードのネットワーク識別情報に基づいて、隣接アクセスノードが第一ネットワークまたは異なるネットワークに属しているかを判定し、検出された隣接アクセスノードの物理レイヤー関連識別情報が含まれている識別情報グループを決定するように構成された決定ユニットと、異なるネットワークに属している隣接アクセスノードの物理レイヤー関連識別情報が含まれているいずれの識別情報グループとも異なる識別情報グループから、アクセスノードの物理レイヤー関連識別情報として、物理レイヤー関連識別情報を選択するように構成された選択ユニットと、を含む。
【００１７】
上述の第一の観点の実施形態は、さらに、第二の観点にも適用可能である。
【００１８】
第三の観点によれば、ネットワーク識別のための方法が提供される。本方法は、第一ネットワークの第一アクセスノードによってサービング（収容）されるユーザ装置（ＵＥ）において、第二アクセスノードの物理レイヤー関連識別情報を検出することと、検出された物理レイヤー関連識別情報が含まれる識別情報グループを決定することと、決定された識別情報グループに基づき第二アクセスノードが第一ネットワークに属しているかどうかを識別することと、を含む。第一ネットワークにおける第一アクセスノードおよびその隣接アクセスノードは、他の何れのネットワークの何れかの隣接アクセスノードに関連付けられている何れの識別情報グループとも異なる一つ以上の識別情報グループに関連付けられている。
【００１９】
実施形態において、識別のステップは、決定された識別情報グループが一つ以上の識別情報グループの何れかと一致するかを判定することによって実行される。
【００２０】
実施形態において、第一ネットワークにおける第一アクセスノードおよびその隣接アクセスノードは二つ以上の識別情報グループに関連付けられている。前記方法は、さらに、第一アクセスノードから、当該二つ以上の識別情報グループを示す情報を受信することを含む。
【００２１】
いくつかの実施形態において、各アクセスノードについて、その物理レイヤー関連識別情報が、アクセスノードによって使用される同期信号シーケンスに少なくとも関連付けられている。
【００２２】
実施形態において、識別のステップは、第二アクセスノードについてのＵＥによる測定を容易にする。
【００２３】
第四の観点によれば、ユーザ装置（ＵＥ）が提供される。ＵＥは第一ネットワークの第一アクセスノードに収容され、第二アクセスノードの物理レイヤー関連識別情報を検出するように構成された検出ユニットと、検出された物理レイヤー関連識別情報が含まれる識別情報グループを決定するように構成された決定ユニットと、決定された識別情報グループに基づき第二アクセスノードが第一ネットワークに属しているかを識別するように構成された識別ユニットと、を含む。第一ネットワークにおける第一アクセスノードおよびその隣接アクセスノードは、他の何れのネットワークの何れかの隣接アクセスノードに関連付けられている何れの識別情報グループとも異なる一つ以上の識別情報グループに関連付けられている。
【００２４】
上述の第三の観点の実施形態は、さらに、第四の観点にも適用可能である。
【００２５】
本開示の実施形態を用いると、利用可能な物理レイヤー関連識別情報はいくつかの識別情報グループに分割され、そのような分割はアクセスノードとＵＥとに既知とされる。アクセスノードは、異なるネットワークに属している隣接アクセスノードの物理レイヤー関連識別情報が含まれているいずれの識別情報グループとも異なる識別情報グループから、そのアクセスノードの物理レイヤー関連識別情報として、物理レイヤー関連識別情報を選択する。ゆえに、第一ネットワークにおけるアクセスノードおよびその隣接アクセスノードは、他の何れのネットワークの何れかの隣接アクセスノードに関連付けられている何れの識別情報グループとも異なる一つ以上の識別情報グループに関連付けられる。したがって、ＵＥは、アクセスノードの物理レイヤー関連識別情報が含まれている識別情報グループに基づいて、ＵＥが検出したアクセスノードがそのサービングネットワークに属しているかどうかを判定できる。このようにして、そのネットワーク識別情報を検出することなく、高速でかつより効率よい手法で、イントラネットワークか、または、インターネットワークかを識別することが可能となる。
【図面の簡単な説明】
【００２６】
上述したおよび他の目的、特徴および有利性は図面の参照とともに本開示の実施形態についての以下の説明から明確になるであろう。
【図１】スペクトラム再利用の例示的なシナリオを示す図である。
【図２】本開示の実施形態にしたがったネットワーク識別を容易にする方法を示すフローチャートである。
【図３】本開示の実施形態にしたがったネットワーク識別のための方法を示すフローチャートである。
【図４】本開示の実施形態にしたがったアクセスノードを示すブロック図である。
【図５】本開示の他の実施形態にしたがったアクセスノードを示すブロック図である。
【図６】本開示の実施形態にしたがったＵＥを示すブロック図である。
【図７】本開示の他の実施形態にしたがったＵＥを示すブロック図である。
【発明を実施するための形態】
【００２７】
以下で図面を参照しながら本開示の実施形態が詳細に説明される。以下の実施形態は図解のためだけのものであり、本開示の範囲を限定するものではない。
【００２８】
図２は本開示の実施形態にしたがったネットワーク識別を容易にする方法２００を示すフローチャートである。本方法２００は第一ネットワークのアクセスノード（たとえば、図１におけるネットワーク１１０のＡＮ１１２）によって実行可能である。たとえば、アクセスノードは、ＬＴＥネットワークにおける進化型ノードＢ（ｅＮＢ）であってもよい。
【００２９】
本方法２００は以下のステップを含む。
【００３０】
ステップＳ２１０で一つ以上の隣接アクセスノードのそれぞれについての物理レイヤー関連識別情報が検出される。
【００３１】
ここでは、各アクセスノードについて、その物理レイヤー関連識別情報が、そのアクセスノードによって使用される同期信号シーケンスに少なくとも関連付けられている。たとえば、物理レイヤー関連識別情報は、上述されたＰＡＮＩであってもよい。
【００３２】
本開示のコンテキストにおいて、特定のアクセスノードのうちの「隣接」アクセスノードは、特定のアクセスノードのカバレッジエリアと少なくとも部分的にオーバーラップしたカバレッジエリアを有している。一例において、ステップＳ２１０での検出は、ビーコンチャネルをリスニングし、ビーコンチャネル上で各隣接アクセスノードによってブロードキャストされるビーコン内の同期信号シーケンスをブラインドで検出することによって実行される。この場合、アクセスノードはＡＮ探索のためのＵＥのように動作する。
【００３３】
ステップＳ２２０で、一つ以上の隣接アクセスノードのそれぞれについて、検出された隣接アクセスノードの物理レイヤー関連識別情報に基づき、その隣接アクセスノードのネットワーク識別情報がデコードされる。ここで、ネットワーク識別情報は、上述されたＮＩであってもよいが、また、ＮＩに関連して説明されたものと同じ手法によってデコード可能である。
【００３４】
ステップＳ２３０で、まず、一つ以上の隣接アクセスノードのそれぞれについて、デコードされた隣接アクセスノードのネットワーク識別情報に基づいて、当該隣接アクセスノードが、第一ネットワーク（例：図１のネットワーク１１０）に属しているのか、それとも異なるネットワーク（例：図１のネットワーク１２０）に属しているのかが判定される。
【００３５】
そして、検出された隣接アクセスノードの物理レイヤー関連識別情報が属している識別情報グループが決定される。ここで、利用可能な物理レイヤー関連識別情報（たとえば、ＰＡＮＩ全体のプールやそれのサブセットなど）は、いくつかの識別情報グループに分割され、このような分割はすべてのアクセスノードおよびＵＥに既知とされる。この決定はそのような知識に基づいて実行可能である。
【００３６】
ステップＳ２４０で、異なるネットワークに属している隣接アクセスノードの物理レイヤー関連識別情報が含まれているいずれの識別情報グループとも異なる識別情報グループから、物理レイヤー関連識別情報が選択される。これは、異なるネットワークに属している二つの隣接アクセスノードのいずれもが、同一の識別情報グループから選択された物理レイヤー関連識別情報を決して持つことがないことを、確実にする。
【００３７】
好ましくは、ステップＳ２４０で、アクセスノードの物理レイヤー関連識別情報は、第一ネットワークに属している隣接アクセスノードの物理レイヤー関連識別情報が含まれている識別情報グループから、選択される。つまり、同一ネットワークに属している二つ以上の隣接アクセスノードが、同一の識別情報グループから選択された物理レイヤー関連識別情報を持つことが、好ましい。このようにして、単一のネットワークの隣接アクセスノードによって使用される識別情報グループの数が削減される。
【００３８】
実施形態において、本方法２００は、第一ネットワークに関連付けられている一つ以上の識別情報グループを示す情報をユーザ装置（ＵＥ）に送信するステップをさらに含む。一つ以上の識別情報グループのそれぞれは、当該第一ネットワークにおける、当該アクセスノードの物理レイヤー関連識別情報、および／または、少なくとも一つの隣接アクセスノードの物理レイヤー関連識別情報を含む。これは、第一ネットワークに属している当該アクセスノードとその隣接アクセスノードとが、同一の識別情報グループから選択された物理レイヤー関連識別情報を持つ場合には、不要である。しかし、これは、第一ネットワークにおける当該アクセスノードとその隣接アクセスノードとが二つ以上の識別情報グループから選択されるときには、好ましく、なぜなら、サービングアクセスノードのそれとは異なる識別情報グループから選択された物理レイヤー関連識別情報を有するイントラネットワークアクセスノードをＵＥが高速に識別することを可能ならしめるからである。
【００３９】
ついで、図３は本開示の実施形態にしたがったネットワーク識別のための方法３００を示すフローチャートである。本方法３００は第一ネットワークの第一アクセスノード収容されるユーザ装置（ＵＥ）（たとえば、図１におけるネットワーク１１０のＡＮ１１２によって収容されるＵＥ１０２）によって実行可能である。
【００４０】
本方法３００は以下のステップを含む。
【００４１】
ステップＳ３１０で、第二アクセスノードの物理レイヤー関連識別情報が検出される。ここで、各アクセスノードについて、その物理レイヤー関連識別情報が、そのアクセスノードによって使用される同期信号シーケンスに少なくとも関連付けられている。上述されたように、ステップＳ３１０での検出は、ビーコンチャネルをリスニングし、ビーコンチャネル上で第二アクセスノードによってブロードキャストされるビーコン内の同期信号シーケンスをブラインドで検出することによって実行される。
【００４２】
ステップＳ３２０で、検出された物理レイヤー関連識別が属している識別情報グループが決定される。図２のＳ２３０に関連して上で説明されたように、利用可能な物理レイヤー関連識別情報はいくつかの識別情報グループに分割され、そのような分割はすべてのアクセスノードとＵＥとに知られている。この決定はそのような知識に基づいて実行可能である。
【００４３】
ステップＳ３３０で、決定された識別情報グループに基づいて、第二アクセスノードが第一ネットワークに属しているかどうかが識別される。ここで、第一ネットワークにおける第一アクセスノードおよびその隣接アクセスノードは、他の何れのネットワークの何れかの隣接アクセスノードに関連付けられている何れの識別情報グループとも異なる一つ以上の識別情報グループに関連付けられている。
【００４４】
実施形態において、ステップＳ３３０の識別ステップは、決定された識別情報グループが一つ以上の識別情報グループの何れかと一致するかを判定することによって、実行される。
【００４５】
第一ネットワークにおける第一アクセスノードとその隣接アクセスノードが二つ以上の識別情報グループに関連付けられている例では、本方法３００は、さらに、当該二つ以上の識別情報グループを示す情報を、第一アクセスノードから受信するステップを含む。
【００４６】
実施形態において、ステップＳ３３０の識別のステップは、第二アクセスノードについてのＵＥによる測定を容易にする。たとえば、第二アクセスノードが第一ネットワークに属しており、かつ、ＵＥはイントラネットワークアクセスノード（つまり、第一ネットワークのアクセスノード）から、ＲＳＲＰを測定する必要があると仮定する。この場合、ＵＥは、第二アクセスノードが第一ネットワークに属していると判定できるが、これは単純に、第二アクセスノードの物理レイヤー関連識別情報が、第一アクセスノードまたはその隣接アクセスノードに関連付けられている識別情報グループに含まれているからである。そして、ＵＥは、ＲＳＲＰを測定し、適切であるときにはＲＳＲＰの測定結果を報告することができ、第二アクセスノードのネットワーク識別情報をデコードする必要は無い。さらに、ＵＥは、いずれかのインターネットワークからのＲＳＲＰの不必要な測定を回避することができる。このようにして、測定報告プロセスにおける遅延が削減可能となる。
【００４７】
これは隣接探索にも適用可能である。ＵＥがイントラネットワークまたはインターネットワークのいずれかのアクセスノードの探索を試行するためにビーコンチャネルをリッスンするときに、ＵＥは、上述の方法３００を用いて、ビーコンがイントラネットワークのアクセスノードまたはインターネットワークのアクセスノードから送信されたかどうかを高速に決定できる。
【００４８】
上述された本方法２００に対応するアクセスノードが提供される。図４は本開示の実施形態にしたがったアクセスノード４００を示すブロック図である。アクセスノード４００は、たとえば、第一ネットワークのｅＮＢである。
【００４９】
図４が示すように、アクセスノード４００は、一つ以上の隣接アクセスノードのそれぞれの物理レイヤー関連識別情報を検出するように構成された検出ユニット４１０を有する。アクセスノード４００は、さらに、一つ以上の隣接アクセスノードのそれぞれについて、検出された隣接アクセスノードの物理レイヤー関連識別情報に基づき、隣接アクセスノードのネットワーク識別情報をデコードするように構成されたデコードユニット４２０を有する。アクセスノード４００は、さらに、決定ユニット４３０を有し、決定ユニット４３０は、一つ以上の隣接アクセスノードのそれぞれについて、デコードされた隣接アクセスノードのネットワーク識別情報に基づいて、隣接アクセスノードが第一ネットワークまたは異なるネットワークに属しているかを判定し、検出された隣接アクセスノードの物理レイヤー関連識別情報が含まれている識別情報グループを決定するように構成されている。アクセスノード４００は、さらに、異なるネットワークに属している隣接アクセスノードの物理レイヤー関連識別情報が含まれているいずれの識別情報グループとも異なる識別情報グループから、アクセスノードの物理レイヤー関連識別情報として、物理レイヤー関連識別情報を選択するように構成された選択ユニット４４０を含む。
【００５０】
実施形態において、アクセスノードの物理レイヤー関連識別情報は、第一ネットワークに属している隣接アクセスノードの物理レイヤー関連識別情報が含まれている識別情報グループから、選択される。
【００５１】
実施形態において、アクセスノード４００は、第一ネットワークに関連付けられている一つ以上の識別情報グループを示す情報をユーザ装置（ＵＥ）に送信するように構成された送信ユニット（不図示）をさらに含む。各識別情報グループは、第一ネットワークにおける、クセスノードの物理レイヤー関連識別情報、および／または、少なくとも一つの隣接アクセスノードの物理レイヤー関連識別情報を含む。
【００５２】
いくつかの実施形態において、各アクセスノードについて、そのアクセスノードによって使用される同期信号シーケンスにその物理レイヤー関連識別情報が少なくとも関連付けられている。
【００５３】
ユニット４１０−４４０のそれぞれは、純粋なハードウエアソリューションによって実装されてもよいし、ソフトウエアとハードウエアとの組み合わせによって実現されてもよく、たとえば、図２に図示され、上述された動作を実行するように構成された、プロセッサ、マイクロプロセッサ、適切なソフトウエア、当該ソフトウエアを記憶するメモリ、プログラマブルロジックデバイス（ＰＬＤ）または他の電子コンポーネント、プロセッシング回路の一つ以上によって実装されてもよい。
【００５４】
図５は本開示の他の実施形態にしたがったアクセスノード５００を示すブロック図である。アクセスノード５００は、たとえば、第一ネットワークのｅＮＢである。
【００５５】
アクセスノード５００は、送受信機５１０と、プロセッサ５２０と、メモリ５３０とを有する。メモリ５３０は、プロセッサ５２０によって実行可能なインストラクションを含み、これによってアクセスノード５００は、一つ以上の隣接アクセスノードのそれぞれの物理レイヤー関連識別情報を検出し、一つ以上の隣接アクセスノードのそれぞれについて、その隣接アクセスノードの検出された物理レイヤー関連識別情報に基づき、その隣接アクセスノードのネットワーク識別情報をデコードするように動作する。メモリ５３０は、さらに、プロセッサ５２０によって実行可能なインストラクションを含み、これによってアクセスノード５００は、一つ以上の隣接アクセスノードのそれぞれについて、デコードされた隣接アクセスノードのネットワーク識別情報に基づいて、隣接アクセスノードが第一ネットワークまたは異なるネットワークに属しているかを判定し、検出された隣接アクセスノードの物理レイヤー関連識別情報が含まれている識別情報グループを決定するように動作する。メモリ５３０は、プロセッサ５２０によって実行可能なインストラクションを含み、これによってアクセスノード５００は、異なるネットワークに属している隣接アクセスノードの物理レイヤー関連識別情報が含まれているいずれの識別情報グループとも異なる識別情報グループから、アクセスノードの物理レイヤー関連識別情報として、物理レイヤー関連識別情報を選択するように動作する。
【００５６】
上述された本方法３００に対応するＵＥが提供される。図６は本開示の他の実施形態にしたがったＵＥ６００を示すブロック図である。ＵＥ６００は第一ネットワークの第一アクセスノードに収容される。
【００５７】
図６が示すように、ＵＥ６００は、第二アクセスノードの物理レイヤー関連識別情報を検出するように構成された検出ユニット６１０を有する。ＵＥ６００は、さらに、検出された物理レイヤー関連識別情報が含まれている識別情報グループを決定するように構成された決定ユニット６２０を含む。ＵＥ６００は、決定された識別情報グループに基づいて、第二アクセスノードが第一ネットワークに属しているかどうかを識別するように構成された識別ユニット６３０を有する。ここで、第一ネットワークにおける第一アクセスノードおよびその隣接アクセスノードは、他の何れのネットワークの何れかの隣接アクセスノードに関連付けられている何れの識別情報グループとも異なる一つ以上の識別情報グループに関連付けられている。
【００５８】
実施形態において、識別ユニット６３０は、決定された識別情報グループが一つ以上の識別情報グループの何れかと一致するかを判定することによって、第二アクセスノードが第一ネットワークに属しているかどうかを識別するように構成されている。
【００５９】
実施形態において、第一ネットワークにおける第一アクセスノードおよびその隣接アクセスノードは二つ以上の識別情報グループに関連付けられている。ＵＥ６００は、さらに、第一アクセスノードから、当該二つ以上の識別情報グループを示す情報を受信するように構成された受信ユニット（不図示）を含む。
【００６０】
実施形態において、各アクセスノードについて、そのアクセスノードによって使用される同期信号シーケンスにその物理レイヤー関連識別情報が少なくとも関連付けられている。
【００６１】
実施形態において、識別ユニット６３０による識別は、第二アクセスノードについてのＵＥ６００による測定を容易にする。
【００６２】
ユニット６１０−６３０のそれぞれは、純粋なハードウエアソリューションによって実装されてもよいし、ソフトウエアとハードウエアとの組み合わせによって実現されてもよく、たとえば、図３に図示され、上述された動作を実行するように構成された、プロセッサ、マイクロプロセッサ、適切なソフトウエア、当該ソフトウエアを記憶するメモリ、プログラマブルロジックデバイス（ＰＬＤ）または他の電子コンポーネント、プロセッシング回路の一つ以上によって実装されてもよい。
【００６３】
図７は本開示の他の実施形態にしたがったＵＥ７００を示すブロック図である。ＵＥ７００は第一ネットワークの第一アクセスノードに収容される。
【００６４】
ＵＥ７００は、送受信機７１０と、プロセッサ７２０と、メモリ７３０とを有する。メモリ７３０は、プロセッサ７２０によって実行可能なインストラクションを含み、これによってＵＥ７００は、第二アクセスノードの物理レイヤー関連識別情報を検出し、検出された物理レイヤー関連識別情報が含まれる識別情報グループを決定し、決定された識別情報グループに基づき第二アクセスノードが第一ネットワークに属しているかを識別するように動作する。第一ネットワークにおける、第一アクセスノードおよびその隣接アクセスノードは、他の何れかのネットワークの何れかの隣接アクセスノードに関連付けられている何れの識別情報グループとも異なる一つ以上の識別情報グループに関連付けられている。
【００６５】
本開示は、さらに、たとえば、電気的に消去可能なプログラマブルリードオンリーメモリ（ＥＥＰＲＯＭ）、フラッシュメモリおよびハードドライブなどの、不揮発性または揮発性のメモリの形式で、少なくとも一つのコンピュータプログラムプロダクトを提供する。コンピュータプログラムプロダクトはコンピュータプログラムを有する。コンピュータプログラムは、プロセッサ５２０によって実行されると、たとえば、図２に関連してすでに説明されたプロシージャなどのアクションをアクセスノード５００に実行させるコード／コンピュータ可読インストラクションや、プロセッサ７２０によって実行されると、たとえば、図３に関連してすでに説明されたプロシージャなどのアクションをアＵＥ７００に実行させるコード／コンピュータ可読インストラクションを、含む。
【００６６】
コンピュータプログラムプロダクトは、コンピュータプログラムモジュール内で構造化されたコンピュータプログラムコードとして構成されてもよい。コンピュータプログラムモジュールは、図２に示されたフローのアクションや図３に示されたフローのアクションを実行しうる。
【００６７】
プロセッサは、単一のＣＰＵ（中央処理装置）であってもよいし、二つ以上のプロセッシングユニットを含んでもよい。たとえば、プロセッサは、汎用マイクロプロセッサ、インストラクションセットプロセッサ、および／または、関連のチップセット、および／または、特定用途集積回路（ＡＳＩＣ）のような特定用途マイクロプロセッサを含んでもよい。プロセッサは、さらに、キャッシュ目的のボードメモリを有してもよい。コンピュータプログラムは、プロセッサに接続されたコンピュータプログラムプロダクトによって搬送されてもよい。コンピュータプログラムプロダクトは、コンピュータプログラムが記憶されるコンピュータ可読媒体を含んでもよい。たとえば、コンピュータプログラムプロダクトは、フラッシュメモリ、ランダムアクセスメモリ（ＲＡＭ）、リードオンリーメモリ（ＲＯＭ）、または、ＥＥＰＲＯＭであってもよいし、上述されたコンピュータプログラムモジュールは、代替的な実施形態において、メモリの形態で、異なるコンピュータプログラムプロダクトに分散されてもよい。
【００６８】
本開示は、本開示の実施形態を参照しながら以上で説明された。本開示の範囲や精神を逸脱することなく、様々な変更、置換および追加を当業者によって実行可能であることは理解されるべきである。したがって、本開示の範囲は、上述された特定の実施形態に限定されることはなく、添付の特許請求の範囲によって定義されるにすぎない。
【図１】
0006445695.tif 000002
【図２】
0006445695.tif 000003
【図３】
0006445695.tif 000004
【図４】
0006445695.tif 000005
【図５】
0006445695.tif 000006
【図６】
0006445695.tif 000007
【図７】
0006445695.tif 000008